(57)【要約】【課題】可動框が当接する受け框等との間にラッチ機構を備えた横引きスクリーン装置において、ラッチ受けに対するラッチの係合動作をスムーズに行うことができる横引きスクリーン装置を提供する。【解決手段】スクリーン６の展張時に当接するラッチ３０を設けた框材１１と、ラッチ受け４０を設けた框材１２との間に、ラッチとラッチ受けとを接合する際にラッチの鉤部３１をラッチ受けの係合孔４１に導くガイド機構を設ける。上記ラッチは、その鉤部の基部に受鉤部４４との係合間隙を介在させて上下方向に延設された、框材１１の外面に沿うガイド板３２を備える。ラッチ受けの係合孔の口部の表面板４３に、框材１１に向かって突出し、ラッチとラッチ受けとの係合時にガイド板の両側において框材１１に当接して、ガイド板にラッチ受け等が接触するのを抑止する土手部を設ける。【選択図】図６
2014005647.tif 000002
【特許請求の範囲】
【請求項１】
建物開口部に取り付けられるスクリーン枠と、該スクリーン枠の横枠にガイドされて摺動する可動框と、該可動框によって開閉操作されるスクリーンとを有し、上記可動框と、スクリーンを展張したときに該可動框が当接する受け框又は他の可動框との間に、鉤部を有するラッチと該鉤部が係合される係合孔を有するラッチ受けとから成るラッチ機構を備えた横引きスクリーン装置において、
上記スクリーンの展張時に当接する上記一対の框を構成する框材のうちの上記ラッチを設けた一方の框材と、上記ラッチ受けを設けた他方の框材との間に、上記ラッチとラッチ受けとを近接させて接合する際に、ラッチの鉤部をラッチ受けの係合孔に入れるように導くガイド機構が設けられ、
上記ラッチは、それを設けた一方の框材に上下に摺動自在に保持されて他方の框材側に向けて突出する突軸部に、先端に向けて次第に先細り形状をなす鉤部を備えると共に、該鉤部の基部にラッチ受けの受鉤部との係合間隙を介在させて上下方向に延設され、ラッチの昇降時に上記一方の框材の外面に沿って摺動するように配設されたガイド板を備え、
一方、上記ラッチ受けは、上記ラッチの鉤部が入るラッチ受けの係合孔の口部の下縁に、上記ラッチの鉤部が係合する上記受鉤部を備え、
上記ラッチ受けにおける上記係合孔の口部から側方に張り出している表面板に、上記ラッチを備えた框材に向かって突出し、ラッチとラッチ受けとの係合時に該ラッチのガイド板の両側において該框材に当接することにより、上記ガイド板に対してラッチ受け及びそれを設けた框材が接触するのを抑止する土手部を設けている、
ことを特徴とする横引きスクリーン装置。
【請求項２】
上記ラッチ受けを設けた框材におけるスクリーン張設面の表裏両面側に位置する框側壁間に形成され、スクリーンの展張時に上記ラッチを設けた框材を受け入れる受入凹部を、スクリーン枠の横枠にガイドされて摺動する移動側の框材が上記横枠にガイドされながらもスクリーンの表裏両面側にずれ動く範囲内で受け入れる開口幅を有するものとし、
上記ラッチとラッチ受けの接合に際してラッチの鉤部をラッチ受けの係合孔に入れるように導く前記ガイド機構が、上記ラッチ受けにおける係合孔の口部から側方に張り出している表面板の少なくとも一側方の土手部の外側に形成されていて、上記受入凹部内に向けて傾斜するガイド面と、上記ラッチを設けた框材のスクリーンの表裏面側に設けられた框側壁で、該ガイド面に対向する側に位置しているガイド用の框側壁とにより形成され、
上記ガイド用の框側壁が上記ラッチ受けの傾斜するガイド面にガイドされ、あるいはガイドされることなく上記ガイド面とそれに対向する框側壁との間の受入凹部に受け入れられたときに、上記ラッチの鉤部の両側面がラッチ受けの係合孔の両内側面のいずれとも接することなく上記ラッチの鉤部が上記係合孔に挿入される寸法関係に設定されている、
ことを特徴とする請求項１に記載の横引きスクリーン装置。
【請求項３】
上記ラッチの鉤部の基部の上下に、それぞれ上記ラッチ受けの受鉤部との係合間隙を介在させてガイド板を延設すると共に、上記ラッチ受けにおける係合孔の口部の上下縁に上記ラッチの鉤部が係合する上記受鉤部を備え、
上記ラッチ及び上記ラッチ受けからなるラッチ機構が上下に対称な形状をなし、スクリーン装置自体が、該ラッチ機構と共に上下反転状態で使用可能に形成されている、
ことを特徴とする請求項１又は２に記載の横引きスクリーン装置。
【発明の詳細な説明】
【技術分野】
【０００１】
本発明は、スクリーン枠にガイドさせた可動框により開閉操作可能なスクリーンをスプリングの付勢力で収納するようにした横引きスクリーン装置に関するものであり、さらに具体的には、可動框と受け框との間に設けるラッチ機構を改良し、スクリーン枠に対する可動框のロック及びその解除を容易にした横引きスクリーン装置に関するものである。
【背景技術】
【０００２】
従来から、防虫や遮光、目隠し、断熱、装飾等を目的とした横引きスクリーン装置において、上下の横枠に沿って摺動可能な可動框と、可動框によって開閉操作されるスクリーンとを有し、スクリーンの巻取軸にスプリングを内蔵することで該スクリーンの収納方向にばね付勢され、それによって、巻取軸にスクリーンを巻取り可能に構成された自動収納式が一般的に知られている。
【０００３】
このような自動収納式の横引きスクリーン装置は、スクリーンを展張してこれを全展張状態で位置保持する為に、可動框が当接する受け框又は他の可動框との間にラッチ機構を備えている。このラッチ機構としては、例えば、特許文献１に開示されているように、スクリーン取付枠部１０に対向して配設された戸当り枠１２に設けたラッチ３５と、スクリーン取付枠部１０の前面部に設けたハンガー３９とからなるのが通例である。そして、スクリーン２を展張する際には、スクリーン取付枠部１０を戸当り枠１２までスライド移動させることにより、ハンガー３９の開口３８にラッチ３５の係合部３６が入り込み、その先端が開口３８の縁部においてハンガー３９に引っ掛かることによりロック状態になる。
【０００４】
ところで、スクリーンを上記ロック状態に保持するにあたり、操作者がスクリーンの一面側、例えばスクリーンの室内側にいて、スクリーン取付枠部１０を戸当り枠１２側に操作すると、スクリーン取付枠部１０にそれを戸当り枠１２側に押す力を与える一方で、少なからず、スクリーン取付枠部１０を他面側である室外側に対しても押圧することになって、スクリーン取付枠部１０に対してはその方向の分力が作用することになる。そうすると、スクリーン取付枠部１０は、上下のスライドガイド枠部１５，１６にガイドされて移動が制限されているために極端なズレ動きはないものの、スライドガイド枠部１５，１６との間にある程度の隙間があるから、少なくともその隙間の分だけスクリーン取付枠部１０が上記他面側に偏倚することになる。
【０００５】
そのため、上記特許文献１に開示されているような横引きスクリーン装置では、スクリーン２を展張方向に移動させて上記ロック状態にする際に、スクリーン取付枠部１０がスクリーン２の操作者がいる面側とは反対面側に押され、ラッチ３５とハンガー３９との位置がスクリーンの表裏面方向にずれてしまい、ラッチ３５の掛かりが悪くなってしまう不都合があった。スクリーン取付枠部１０を手前側（上記操作者側）に引いて、ラッチ３５とハンガー３９の開口３８との位置を考慮しながらスライド移動させれば、上述した問題は解消されるが、誰もがその移動操作に慣れるようにするのには困難性がある。
【先行技術文献】
【特許文献】
【０００６】
【特許文献１】特開２０１１−８０２７４号公報
【発明の概要】
【発明が解決しようとする課題】
【０００７】
本発明の技術的課題は、可動框が当接する受け框又は他の可動框との間にラッチ機構を備えた横引きスクリーン装置において、可動框がスクリーンの展張操作に伴ってスクリーンの表裏面方向にずれ動くような場合でも、ラッチ受けに対するラッチの係合動作が確実で、しかも、スムーズに行えるようにした横引きスクリーン装置を提供することにある。
【課題を解決するための手段】
【０００８】
上記課題を解決するため、本発明はによれば、建物開口部に取り付けられるスクリーン枠と、該スクリーン枠の横枠にガイドされて摺動する可動框と、該可動框によって開閉操作されるスクリーンとを有し、上記可動框と、スクリーンを展張したときに該可動框が当接する受け框又は他の可動框との間に、鉤部を有するラッチと該鉤部が係合される係合孔を有するラッチ受けとから成るラッチ機構を備えた横引きスクリーン装置において、上記スクリーンの展張時に当接する上記一対の框を構成する框材のうちの上記ラッチを設けた一方の框材と、上記ラッチ受けを設けた他方の框材との間に、上記ラッチとラッチ受けとを近接させて接合する際に、ラッチの鉤部をラッチ受けの係合孔に入れるように導くガイド機構が設けられ、上記ラッチは、それを設けた一方の框材に上下に摺動自在に保持されて他方の框材側に向けて突出する突軸部に、先端に向けて次第に先細り形状をなす鉤部を備えると共に、該鉤部の基部にラッチ受けの受鉤部との係合間隙を介在させて上下方向に延設され、ラッチの昇降時に上記一方の框材の外面に沿って摺動するように配設されたガイド板を備え、一方、上記ラッチ受けは、上記ラッチの鉤部が入るラッチ受けの係合孔の口部の下縁に、上記ラッチの鉤部が係合する上記受鉤部を備え、上記ラッチ受けにおける上記係合孔の口部から側方に張り出している表面板に、上記ラッチを備えた框材に向かって突出し、ラッチとラッチ受けとの係合時に該ラッチのガイド板の両側において該框材に当接することにより、上記ガイド板に対してラッチ受け及びそれを設けた框材が接触するのを抑止する土手部を設けていることを特徴とする横引きスクリーン装置が提供される。
【０００９】
本発明に係る横引きスクリーン装置の好ましい実施形態においては、上記ラッチ受けを設けた框材におけるスクリーン張設面の表裏両面側に位置する框側壁間に形成され、スクリーンの展張時に上記ラッチを設けた框材を受け入れる受入凹部を、スクリーン枠の横枠にガイドされて摺動する移動側の框材が上記横枠にガイドされながらもスクリーンの表裏両面側にずれ動く範囲内で受け入れる開口幅を有するものとし、上記ラッチとラッチ受けの接合に際してラッチの鉤部をラッチ受けの係合孔に入れるように導く前記ガイド機構が、上記ラッチ受けにおける係合孔の口部から側方に張り出している表面板の少なくとも一側方の土手部の外側に形成されていて、上記受入凹部内に向けて傾斜するガイド面と、上記ラッチを設けた框材のスクリーンの表裏面側に設けられた框側壁で、該ガイド面に対向する側に位置しているガイド用の框側壁とにより形成され、上記ガイド用の框側壁が上記ラッチ受けの傾斜するガイド面にガイドされ、あるいはガイドされることなく上記ガイド面とそれに対向する框側壁との間の受入凹部に受け入れられたときに、上記ラッチの鉤部の両側面がラッチ受けの係合孔の両内側面のいずれとも接することなく上記ラッチの鉤部が上記係合孔に挿入される寸法関係に設定される。
【００１０】
また、上記横引きスクリーン装置においては、上記ラッチの鉤部の基部の上下に、それぞれ上記ラッチ受けの受鉤部との係合間隙を介在させてガイド板を延設すると共に、上記ラッチ受けにおける係合孔の口部の上下縁に上記ラッチの鉤部が係合する上記受鉤部を備え、上記ラッチ及び上記ラッチ受けからなるラッチ機構が上下に対称な形状をなし、スクリーン装置自体が、該ラッチ機構と共に上下反転状態で使用可能に形成される。
【００１１】
上記構成を有する横引きスクリーン装置においては、ラッチを設けた一方の框材とラッチ受けを設けた他方の框材との間に、それらを近接させて接合する際にラッチの鉤部をラッチ受けの係合孔に入れるように導くガイド機構を設けているので、該ラッチは安定的にラッチ受けの係合孔に導くことができ、しかも、上記ラッチは、框材に上下に摺動自在の突軸部の先端に設けた鉤部の基部に上下方向に向くガイド板を延設し、それがラッチの昇降時に上記一方の框材の外面に沿って摺動するようにして、ラッチの姿勢の安定化を図り、また、上記ラッチの鉤部はラッチ受けの係合孔に嵌入したのちに該係合孔の口部下縁に係合するために下動するが、ラッチ受けにおける係合孔の口部から側方に張り出している表面板に、上記ラッチを備えた框材に向かって突出する土手部を設け、該土手部がラッチとラッチ受けとの係合時に該ラッチのガイド板の両側において框材に当接することにより、上記ガイド板に対してラッチ受け及びそれを設けた框材が接触するのを抑止するようにしているので、上記ガイド板の下動が妨げられるようなことがなく、スムーズにラッチをラッチ受けに係合させることができ、ラッチの離脱時の上動も容易に行うことが可能になる。
【発明の効果】
【００１２】
以上に詳述した本発明によれば、可動框が当接する受け框又は他の可動框との間にラッチ機構を備えた横引きスクリーン装置において、可動框がスクリーンの一面側からの操作に伴い他面側に偏倚した場合であっても、該可動框が、ラッチとラッチ受けとの位置が合う正常位置にあるようにしている為、上記ラッチ受けに対するラッチの係合動作をスムーズに行うことができる。
【図面の簡単な説明】
【００１３】
【図１】本発明に係る横引きスクリーン装置の実施の一例を概略的に示した正面図である。
【図２】図１の横断平面図である。
【図３】可動框の要部拡大横断面図である。
【図４】可動框における框材の拡大断面図である。
【図５】受け框の要部横断面図である。
【図６】ラッチを有する可動框とラッチ受けを有する受け框の構成を示す要部斜視図である。
【図７】（ａ）及び（ｂ）はラッチ機構の係合の態様を示す要部拡大側断面図であり、（ａ）は係合前における鉤部が受鉤部を乗り越えて係合する状態、（ｂ）は最終的な係合状態を示すものである。
【図８】（ａ）〜（ｃ）は、ラッチ機構の係合の態様を示す要部拡大部分横断面図であって、（ａ）は可動框が横枠にガイドされながらも室外側にずれた状態で接合を開始する状態、（ｂ）は可動框におけるガイド用の框側壁がラッチ受けのガイド面にガイドされて該ラッチ受けに係合した状態、（ｃ）は可動框が最も室内側にずれた状態で係合した状態を示すものである。
【発明を実施するための形態】
【００１４】
図１〜図８は、本発明に係る横引きスクリーン装置の実施の一例を示すものである。
図示した実施例の横引きスクリーン装置１は、建物開口部に取り付けられるスクリーン枠２と、該スクリーン枠２の上下の横枠３，４にガイドされて該横枠３，４に沿って摺動可能な可動框５と、該可動框５によって開閉操作されるスクリーン６とを備え、上記スクリーン枠２は、その左右の縦枠のうちの一方の縦枠を上記スクリーン６の収納枠７とし、他方の縦枠を上記スクリーン６の展張時に可動框５が当接する受け框９として構成している。このスクリーン枠２は、収納枠７と受け框９との上下部を上の横枠３及び下の横枠４によって連結することにより１つのユニットとして構成されたものである。
【００１５】
上記スクリーン６の収納枠７は、それを上下の横枠３，４と連結する上下のコーナー部材の内部に、該収納枠７の内側に向く軸支部を備え、該軸支部により、内部にスクリーン６を巻取るための駆動源となるスプリングを内蔵した巻取軸８を回転自在に支持させている。なお、上記スクリーン６は、巻取軸８に巻かれるようにしたロールスクリーンであり、それを巻き戻すことでスクリーン枠２内に展張するようにしているが、このスクリーン６に代えて、一定幅で逆方向に折り畳むことによりアコーディオン状に形成したスクリーンを用い、該スクリーンの収納枠７への収納を、スクリーンに挿通したワイヤー等を介して可動框５に対しスクリーンの折り畳み方向への付勢力を付与するように構成することもできる。
【００１６】
上記スクリーン６は、防虫に適したネット、遮光性に富んだネットまたはシート、目隠しに適したネットやシート等、用途に応じて適宜の材料で形成される。該スクリーン６はその一端が上記巻取軸８に固定され、該スクリーン６の他端は、図３に示すように、取付部材１０を介して可動框５に着脱自在に固定している。該スクリーン６の固定は、可動框５の框材１１における上記収納枠７側に形成された上下方向に延びる取付溝１１ｃ内に、スクリーン６の一端係止部を挟持する弾性的拡開傾向をもった取付部材１０を弾性的に圧嵌させることで行っている。
【００１７】
また、上記可動框５と受け框９との間には、該可動框５を受け框９に保持させてスクリーン６を全展張状態に保つためのラッチ機構を備え、より具体的には、図１、図２及び図６に示しているように、該可動框５に鉤部３１を有するラッチ３０を設け、受け框９に該鉤部３１が係合する係合孔４１を備えたラッチ受け４０を設けている。
なお、図示の実施例では、スクリーン６を展張したときに上記可動框５が受け框９に当接してラッチ３０がラッチ受け４０に係合するようにした片開き式のスクリーン装置を示しているが、スクリーン枠２の左右の縦枠に両開きする一対のスクリーンを張設することもでき、この場合には、一方のスクリーンの可動框と他方のスクリーンの可動框との間に、上記ラッチ３０とラッチ受け４０とから成るラッチ機構を備えることになる。
【００１８】
上記可動框５は、一定の断面形状を有する長尺な框材１１の上下端に、上下横枠３，４にガイドされるエンド部材５ａ，５ｂを備えたものとして構成されている。上記框材１１は、図３及び図４に示すように、スクリーン６の全展張状態において受け框９に対面する対向面１１ａを備え、また、該対向面１１ａの背面側に一対の対向壁１１ｂ，１１ｂを突設して、それらの間に前記取付溝１１ｃを形成すると共に、両対向壁１１ｂ，１１ｂの外面側に、可動框５の開閉操作に供する一対の手掛け溝１１ｄ，１１ｄを、上記框材１１の長手方向に沿って設けている。
【００１９】
次に、上記可動框５に設けているラッチ３０の構成、及び可動框５の框材１１に対する該ラッチ３０の組み付け構造について具体的に説明する。
上記ラッチ３０は、上記可動框５の框材１１に上下方向に摺動自在に保持させたもので、図３及び図６に示すように、該可動框５の框材１１内から受け框９側の框材１２に向けて突出する板状の突軸部３３の外端に、上下及び左右の四面において先端に向けて次第に先細り形状をなす鉤部３１を備えると共に、該鉤部３１の基部の上下に、ラッチ受け４０の受鉤部４４との係合間隙３４を介在させて上下方向にほぼ同長に延設されたガイド板３２を備えている。上記ガイド板３２は、図６から分かるように、框材１１の外面である前記対向面１１ａに沿って摺動するように配設され、ラッチ３０の昇降時に、該ラッチ３０の姿勢を安定化させるものである。なお、上記ガイド板３２の幅は、該ガイド板３２に連なる鉤部３１の基端の幅と略同一寸法に形成されている。
【００２０】
上記ラッチ３０の框材１１に対する組み付けは、図３及び図４から分かるように、上記框材１１の対向面１１ａと、その背面側に位置する一対の対向壁１１ｂ，１１ｂを突設している面とに、これらの面を貫通する同形のガイド穴１４ａ，１４ｂを穿設し、これらのガイド穴にラッチ３０の突軸部３３を挿通しているが、上記ガイド穴１４ａ，１４ｂは、板状の突軸部３３（図７参照）を挿通できるだけでなく、ラッチ３０の上下動を可能にする長さ範囲にわたって設けられている。そして、框材１１における一対の対向壁１１ｂ，１１ｂに設けた手掛け溝１１ｄ，１１ｄに沿って上下に摺動自在の摘み部２１，２２の操作により、上記ラッチ３０を昇降ができるようにしている。上記ラッチ３０に設けたガイド板３２は、該ラッチ３０の昇降時に常に上記対向面１１ａのガイド穴１４ａを覆う長さに形成され、外部からガイド穴１４ａが見えないようにしてデザイン性の改善をも図っている。
【００２１】
即ち、上記框材１１の手掛け溝１１ｄ，１１ｄの一方に沿って上下に摺動自在の摘み部２１は、図３に示すように、その背面側に係合板２４が突設され、該係合板２４が、上記框材１１における一対の対向壁１１ｂ，１１ｂの手掛け溝１１ｄ，１１ｄ内に穿設したそれらを貫通する穴１４ｃ，１４ｄと、上記対向壁１１ｂ，１１ｂ間に位置する前記ラッチ３０の突軸部３３に設けた係合孔３３ａとに挿通したうえで、上記摘み部２１とは反対側の対向壁１１ｂから手掛け溝１１ｄ内に突出させ、該手掛け溝１１ｄに沿って摺動自在の他方の摘み部２２に設けた係止孔２２ａに挿通し、上記係合板２４の先端部に設けた弾片２４ａを上記係止孔２２ａの孔縁に弾性的に係止させている。
また、上記手掛け溝１１ｄ，１１ｄ内に穿設した穴１４ｃ，１４ｄについても、該手掛け溝１１ｄ，１１ｄに沿って上下摺動自在の摘み部２１，２２により常に外部から見えないように、該摘み部の上下方向長さを設定し、上記ガイド穴１４ａを覆うラッチ３０のガイド板３２と同様に、デザイン性の改善を図っている。
【００２２】
次に、上記可動框５がスクリーン６の展張に際して衝当する上記受け框９の構成及び該受け框９に取り付けられるラッチ受け４０の構成について説明する。
上記受け框９は、図５及び図６に示すような一定の断面形状を有する長尺の框材１２を備え、その上下端をコーナー部材で上下の横枠３，４に連結している。上記受け框９の框材１２は、該框材１２におけるスクリーン６の張設面の表裏両面側に位置する框側壁１７ａ，１７ｂ間に形成されて、該スクリーン６の展張時に上記ラッチ３０を設けた可動框５の框材１１を受け入れ可能に形成した受入凹部１８を備え、該受入凹部１８内の中央に上記可動框５における框材１１の対向面１１ａと対面する対向面１２ａを有し、該対向面１２ａの上記ラッチ３０に対応する位置に、上記係合孔４１が開口するラッチ受け４０を嵌入するための嵌入孔１２ｂが形成されている。
【００２３】
上記框材１２における框側壁１７ａ，１７ｂの間に形成され受入凹部１８は、通常の操作力で可動框５を操作するときに、該可動框の框材１１が上記横枠３，４にガイドされながらもスクリーン６の表裏両面側にずれ動く範囲内で受け入れる開口幅を有するものであり、そして、可動框５の框材１１と、上記ラッチ受け４０を設けた受け框９の框材１２との間に、上記ラッチ３０とラッチ受け４０とを近接させて接合する際に、ラッチ３０の鉤部３１をラッチ受け４０の係合孔４１に入れるように導くガイド機構が設けられている。なお、上記ガイド機構については、詳細に後述すると共に、その具体的構成について図８を参照して後述する。
【００２４】
上記嵌入孔１２ｂに嵌着したラッチ受け４０は、図６及び図７からわかるように、上記ラッチ３０の鉤部３１が入る係合孔４１の口部の周囲に、該係合孔４１の口部の内外周縁に張り出す表面板４３を備え、該表面板４３の内側の上下縁に、上記ラッチ３０の鉤部３１がその係合間隙３４において係合する内向きの上記受鉤部４４を備えている。図示の実施例における上記表面板４３は、ラッチ受け４０と一体に形成したものであるが、別体のものであっても差し支えない。
なお、前記ラッチ３０の鉤部３１の基部に上記一対の係合間隙３４を設けると共に、上記ラッチ受け４０に上下一対の受鉤部４４を設けているのは、後述するように、スクリーン装置自体を上下反転状態で使用可能に形成するためである。
【００２５】
また、上記ラッチ受け４０は、受け框９の上記嵌入孔１２ｂの口部周囲に上記表面板４３の外縁を当接させ、該ラッチ受け４０の上下外面に設けた弾性係合子４０ａを上記嵌入孔１２ｂの内縁に係合させることにより、上記框材１２に保持させている。なお、上記表面板４３における係合孔４１の口部の上下に操作孔４３ａを設けているが、該操作孔４３ａは、それを通して先端が尖った細い離脱用ピン等を挿入することにより、上記弾性係合子４０ａを上記嵌入孔１２ｂの内縁から離脱させるためのものである。
【００２６】
上記ラッチ受け４０における上記係合孔４１の口部から側方に張り出している表面板４３には、該係合孔４１の左右両側に沿って、上記ラッチ３０を備えた框材１１に向かって突出し、ラッチ３０とラッチ受け４０との係合時に該ラッチのガイド板３２の両側において該框材１１の対向面１１ａに当接することにより、上記ガイド板３２に対してラッチ受け４０及びそれを設けた框材１２が接触するのを抑止する左右一対の土手部４５，４６を突設している。これらの土手部４５，４６は、それぞれ連続した一条の凸条によって形成され、図７及び図８にからわかるように、表面板４３からの突出長さｈが上記ガイド板３２の板厚ｔよりも大きく形成されている。従って、ラッチ受け４０に対してラッチ３０を係脱するときには、土手部４５，４６間において表面板４３とガイド板３２との間に、上記土手部の突出長さｈと上記ガイド板３２の板厚ｔの差に相当する隙間ｃが存在して、ガイド板３２が框材１２等に無接触であり、重力等で昇降するラッチ３０の上下動を制限したり、その動作を不安定にしたりすることはない。
【００２７】
図７の（ａ）（ｂ）を参照して、ラッチ受け４０に対するラッチ３０の係合動作について説明すると、図７の（ａ）に示すように、先端に向けて次第に先細り形状をなすラッチ３０の鉤部３１の下側斜面が、上記受け框９のラッチ受け４０の係合孔４１の孔縁に乗り上げると、該係合孔４１の孔縁によりその鉤部３１が押し上げられ、その孔縁を完全に超えたところで、図７の（ｂ）のように、鉤部３１がその重力により下動して受鉤部４４に係止される。このラッチ受け４０に対するラッチ３０の係止に際し、上記ガイド板３２が土手部４５，４６間に無接触でラッチ３０の係合間隙３４が受鉤部４４に嵌入し、ラッチ３０の上下動が円滑であることは上述したとおりである。
【００２８】
また、上記可動框５と受け框９との間には、前述したように、上記ラッチ３０とラッチ受け４０の接合に際して、ラッチ３０の鉤部３１をラッチ受け４０の係合孔４１に入れるように導くガイド機構を設けているが、このガイド機構は、上記框材１２における框側壁１７ａ，１７ｂ間に設けた框材１１を受け入れる受入凹部１８が、前述の開口幅を有することを前提として、上記ラッチ受け４０における係合孔４１の口部の表面板４３の一方の土手部４５から側方に張り出すようにガイド面４７を連設すると共に、該ガイド面４７と、可動框の框材１１におけるスクリーン６の張設面の表裏両面側に位置するガイド用の框側壁１５ａ，１５ｂのうちの上記ガイド面４７に対向する框側壁１５ａとが、以下に説明するような位置的関係にあるように設定している。
【００２９】
なお、ここでは上記ラッチ受け４０における表面板４３の一側方の土手部４５の外側にガイド面４７が形成されている場合について説明するが、該表面板４３の両側方の土手部４５，４６の外側にガイド面４７が形成されたものとすることもでき、この場合には、それぞれのガイド面に対し、可動框の框材１１のスクリーン６の表裏面側に設けられた框側壁１５ａ，１５ｂが所定の位置的関係を持ってそれらのガイド面に対面するように構成する必要がある。
【００３０】
上記ガイド機構について更に具体的に説明すると、上記ラッチ受け４０における係合孔４１の口部に設けた表面板４３は、上記係合孔４１から側方に張り出している表面板４３の一側方の土手部４５の外側に、該土手部４５に一体に連なった状態で、上記受入凹部１８の内部に向けて傾斜すような態様で側方に張り出すガイド面４７が連設され、該ガイド面４７と、上記可動框５の框材１１に設けた框側壁１５ａ，１５ｂで、該ガイド面４７に対向する側に位置している框側壁１５ａとの位置的関係により、上記ガイド機構が構成されている。
上記ガイド面４７と上記ガイド用の框側壁１５ａとの間に必要な位置的関係とは、上記ガイド用の框側壁１５ａが上記ラッチ受け４０のガイド面４７にガイドされ、あるいはガイドされることなく、上記ガイド面４７とそれに対向する框側壁１５ａとの間の受入凹部１８に受け入れられたときに、上記ラッチ３０の鉤部３１の両側面がラッチ受け４０の係合孔４１の両内側面のいずれとも接することがなく、上記ラッチ３０の鉤部３１が上記係合孔４１に挿入される寸法関係に設定されていることである。
【００３１】
次に、図８の（ａ）〜（ｃ）を参照して、上記ラッチ３０とラッチ受け４０とを近接させて接合する際に、上記ガイド機構によりラッチ３０の鉤部３１をラッチ受け４０の係合孔４１に入れるように導く態様について具体的に説明する。
まず、同図（ａ）は可動框５が横枠３，４にガイドされながらも室外側（図の上側）にずれた状態で受け框９への接合を開始した状態を示しているが、可動框５が室外側にずれる限界は、可動框の框材１１が受入凹部１８に受け入れられる範囲内、つまり、框材１１の框側壁１５ｂが受け框９の框材１２の框側壁１７ｂの内側に接して受け入れられる範囲内であり、この場合には、框材１１の框側壁１５ｂが框材１２の框側壁１７ｂの内側に接すると同時に、可動框の框材１１における框側壁１５ａの先端が、表面板４３の土手部４５に連接した傾斜するガイド面４７の最外端に接するように形成される。
【００３２】
上記図８の（ａ）の状態でラッチ３０の鉤部３１の先端がラッチ受け４０の上記係合孔４１への嵌入を開始した後は、該鉤部３１が上記係合孔４１に嵌入する過程において該係合孔４１の口部に接触することがないように形成され、そして、可動框５の框材１１における框側壁１５ａの先端が、表面板４３の土手部４５に連接したガイド面４７に沿って移動しながら、可動框の框材１１が受け框の受入凹部１８への進入を継続し、最終的には、図８の（ｂ）に示すように、可動框のラッチ３０の鉤部３１がラッチ受け４０における受鉤部４４に係合するに至る。このようにしてラッチの鉤部３１がラッチ受け４０における上記係合孔４１に嵌入する過程では、該鉤部３１の側面が係合孔４１の口部に接触することはない。そのため、ラッチ３０のラッチ受け４０に対する係合が円滑に行われる。
【００３３】
一方、可動框５が室内側にずれる限界は、図８の（ｃ）に示すように、可動框５の框側壁１５ａが受け框９における框側壁１７ａの内側に接する状態にあるときの該可動框５の位置である。可動框５の框側壁１５ａが、このような状態で該可動框５の框材１１が受け框９の框材１２に嵌入したときには、そのまま該框材１１が進行しても、ラッチ３０の鉤部３１がラッチ受け４０における上記係合孔４１に対して、該鉤部３１の側面が係合孔４１の口部に接触することなく嵌入するように形成され、そのため、ラッチ３０の鉤部３１を特にガイドしなくても、ラッチ受け４０に対して円滑に係合させることができる。
【００３４】
なお、上記横引きスクリーン装置においては、上記ラッチ３０の鉤部３１の基部の上下に、それぞれ上記ラッチ受け４０の受鉤部４４との係合間隙３４を介在させてガイド板３２を延設すると共に、上記ラッチ受け４０における係合孔４１の口部の上下縁に上記ラッチの鉤部が係合する上記受鉤部４４を備え、上記ラッチ３０及び上記ラッチ受け４０からなるラッチ機構が上下に対称な形状をなし、スクリーン装置自体が、該ラッチ機構と共に上下反転状態で使用可能に形成される。そのため、スクリーン装置の上下を反転させるだけでスクリーンの開閉の左右勝手を選択することができる。
【００３５】
上記構成を有する横引きスクリーン装置においては、ラッチ３０を設けた可動框５の框材１１とラッチ受け４０を設けた受け框９の框材１２との間に、それらを近接させて接合する際にラッチ３０の鉤部３１をラッチ受け４０の係合孔４１に入れるように導くガイド機構を設けているので、該ラッチ３０を安定的にラッチ受け４０の係合孔４１に導くことができ、しかも、上記ラッチ３０は、框材１１に上下に摺動自在の突軸部３３の先端に設けた鉤部３１の基部に上下方向に向くガイド板３２を延設し、それがラッチの昇降時に上記框材１１の外面に沿って摺動するようにして、ラッチの姿勢の安定化を図り、また、上記ラッチ３０の鉤部３１はラッチ受け４０の係合孔４１に嵌入したのちに該係合孔４１の口部下縁に係合するために下動するが、ラッチ受け４０における係合孔４１の口部から側方に張り出している表面板４３に、上記ラッチ３０を備えた框材１１に向かって突出する土手部４５，４６を設け、該土手部がラッチ３０とラッチ受け４０との係合時に該ラッチ３０のガイド板３２の両側において框材１１に当接することにより、上記ガイド板３２に対してラッチ受け４０及び框材１２が接触するのを抑止しているので、上記ガイド板３２の下動が妨げられるようなことがなく、スムーズにラッチ３０をラッチ受け４０に係合させることができ、ラッチの離脱時の上動も容易に行うことが可能になる。
【符号の説明】
【００３６】
２          スクリーン枠
３，４      横枠
５          可動框
６          スクリーン
９          受け框
１１，１２    框材
３０          ラッチ
３１          鉤部
３２          ガイド板
３３          突軸部
３４          係合間隙
４０          ラッチ受け
４１          係合孔
４３          表面板
４４          受鉤部
４５，４６    土手部
４７          ガイド面
【図１】
2014005647.tif 000003
【図２】
2014005647.tif 000004
【図３】
2014005647.tif 000005
【図４】
2014005647.tif 000006
【図５】
2014005647.tif 000007
【図６】
2014005647.tif 000008
【図７】
2014005647.tif 000009
【図８】
2014005647.tif 000010